(57)【要約】家具（１）の上昇フラップ扉（４）を作動させるための駆動機構（５）が開示されている。この駆動機構は、家具枠体（３）に固定される駆動機構本体（５ａ）を含み、フラップ扉（４）を移動させるための駆動アーム（６）は、一方で本体（５ａ）の取付軸（Ａ）で取り付けられ、他方でフラップ扉（４）に固定された装具（９）の取付軸（Ｂ）で取り付けられており、フラップ扉（４）の移動のための制御アーム（７）がさらに提供され、駆動アーム（６）の動作時に制御アーム（７）の実効レバーアーム長は変動可能であって、制御アーム（７）の実効レバーアーム長が駆動アームの開扉動作時に短縮される。【選択図】図３
2011508856.tif 000002
【特許請求の範囲】
【請求項１】
家具（１）の上方可動フラップ扉（４）を移動させるための駆動機構（５）であって、
家具枠体（３）に固定される駆動機構本体（５ａ）を含み、
前記フラップ扉（４）を移動させるための駆動アーム（６）は、一方で前記本体（５ａ）の取付軸（Ａ）で取り付けられ、他方で前記フラップ扉（４）に固定された装具（９）の取付軸（Ｂ）で取り付けられており、
前記フラップ扉（４）を移動させるための制御アーム（７）がさらに提供され、前記駆動アーム（６）の動作時に前記制御アーム（７）の実効レバーアーム長は変動可能であって、前記駆動アームの開扉動作時に前記制御アーム（７）の前記実効レバーアーム長が短縮されることを特徴とする駆動機構。
【請求項２】
前記制御アーム（７）は、相対移動する少なくとも２つの部材（７ａ、７ｂ）を含んでいることを特徴とする請求項１に記載の駆動機構。
【請求項３】
前記少なくとも２つの部材（７ａ、７ｂ）は、ヒンジ軸（Ｆ）によって連結されており、前記少なくとも２つの部材（７ａ、７ｂ）の前記ヒンジ軸（Ｆ）と、前記駆動アーム（６）上のヒンジ軸（Ｅ）との間で機能する介在レバー（８）がさらに提供されていることを特徴とする請求項２に記載の駆動機構。
【請求項４】
前記駆動アーム（６）に対して、前記介在レバー（８）の前記ヒンジ軸（Ｅ）は、前記駆動アーム（６）の２つの前記取付軸（Ａ、Ｂ）間の略中央領域に提供されていることを特徴とする請求項３に記載の駆動機構。
【請求項５】
前記少なくとも２つの部材（７ａ、７ｂ）の相対位置は、電気ドライブ（１４）等の駆動装置によって変動可能であることを特徴とする請求項２から４のいずれか一項に記載の駆動機構。
【請求項６】
前記電気ドライブ（１４）は、伝達機構を利用して、前記少なくとも２つの部材（７ａ、７ｂ）の相対位置を変動させることを特徴とする請求項５に記載の駆動機構。
【請求項７】
前記伝達機構はスピンドルドライブを含むことを特徴とする請求項６に記載の駆動機構。
【請求項８】
前記駆動アーム（６）の角度位置を検出するための装置（１３）が提供され、前記少なくとも２つの部材（７ａ、７ｂ）を移動させるための前記電気ドライブ（１４）が前記駆動アーム（６）の角度位置に応じて制御可能であることを特徴とする請求項５から７のいずれか一項に記載の駆動機構。
【請求項９】
前記制御アーム（７）の実効レバーアーム長において、閉扉位置に続く駆動アーム（６）の第１開角度領域（Ｍ１）における長さの変化は、前記開角度領域（Ｍ１）に続いて前記駆動アーム（６）の完全開扉位置に至る第２開角度領域（Ｍ２）における長さの変化よりも小さいことを特徴とする請求項１から８のいずれか一項に記載の駆動機構。
【請求項１０】
前記制御アーム（７）は、前記家具枠体（３）のほぼ最上方領域であって、好ましくは前記家具枠体（３）の前方領域に位置する枠体側支軸（Ｃ）を有していることを特徴とする請求項１から９のいずれか一項に記載の駆動機構。
【請求項１１】
前記制御アーム（７）は、好ましくは前記フラップ扉（４）の前記装具（９）に位置するフラップ扉側支軸（Ｄ）を有していることを特徴とする請求項１から１０のいずれか一項に記載の駆動機構。
【請求項１２】
前記駆動アーム（６）の開扉動作時に、前記制御アーム（７）の前記家具枠体側支軸（Ｃ）と前記フラップ扉側支軸（Ｄ）との間のスペース（Ｓ）は可変であり、好ましくは縮小可能であることを特徴とする請求項１０または１１に記載の駆動機構。
【請求項１３】
前記制御アーム（７）の前記家具枠体側支軸（Ｃ）と前記フラップ扉側支軸（Ｄ）とは、前記駆動アーム（６）の前記家具枠体側支軸（Ａ）と前記フラップ扉側支軸（Ｂ）とでヒンジ四辺形を形成することを特徴とする請求項１０から１２のいずれか一項に記載の駆動機構。
【請求項１４】
前記制御アーム（７）は前記駆動アーム（６）の上方に配置されていることを特徴とする請求項１から１３のいずれか一項に記載の駆動機構。
【請求項１５】
請求項１から１４のいずれか一項に記載の駆動機構を備えていることを特徴とする家具。
【発明の詳細な説明】
【技術分野】
【０００１】
本発明は家具枠体に回動式に取り付けられている扉本体を含む上方可動跳上げ扉（以降“フラップ扉”）を駆動する駆動機構に関する。このフラップ扉を動かす駆動アームは、扉本体の取付軸にその一方が取り付けられ、その他方はフラップ扉に固定される装具の取付軸に取り付けられている。フラップ扉を動かす制御アームがさらに取り付けられており、駆動アームの作動時に制御アームの実効レバーアーム長が変動する。
【０００２】
本発明はさらに、以下で説明する上方可動フラップ扉を駆動させる本発明の駆動機構を備えた家具にも関する。
【背景技術】
【０００３】
この種の駆動機構は、家具の収納部を閉じている垂直閉扉姿勢（位置）と、収納部を開いている上方の開扉姿勢（位置）との間で可動に取り付けられているフラップ扉を動作させる。一般的にフラップ扉が開かれるときフラップ扉は家具面から大きく上昇移動する。この上昇移動はユーザには不都合である。なぜならフラップ扉には外側にはみ出す大きな自由空間が必要であり、上昇動作時のフラップ扉が家具の前方のユーザ頭部に当たって怪我をさせる可能性があるからである。従って、ユーザはフラップ扉の開扉時にフラップ扉の下縁が自分の頭部に接近すると瞬間的に後方に危険回避しなければならない。
【０００４】
ＥＰ０９５２２９０Ａ２とＥＰ１７８５５６５Ａ２は上方可動フラップ扉のための装置を開示する。これら装置には、バネ式駆動アームと、２本のヒンジ式（回動式）に連結した回動レバー形態の制御機構が含まれ、フラップ扉の開扉動作時には実効レバーアーム長が増加する。この弱点は、開扉動作時にフラップ扉がユーザ頭部に当たりやすいことである。
【先行技術文献】
【特許文献】
【０００５】
【特許文献１】ＥＰ０９５２２９０Ａ２
【特許文献２】ＥＰ１７８５５６５Ａ２
【発明の概要】
【発明が解決しようとする課題】
【０００６】
従って本発明の一目的は、上述の一般的な駆動機構から上述の弱点を実質的に排除した改良性能を備えた駆動機構を提供することにある。
【課題を解決するための手段】
【０００７】
本発明の一好適態様によれば、上記目的は、フラップ扉が駆動アームにより開かれたときに制御アームの実効レバーアーム長を短くすることで達成される。
【０００８】
従って、本発明の基本思想にはフラップ扉の開扉動作時に制御アームにより提供される実効レバーアーム長の短縮が関与する。この際、実効レバーアーム長を、フラップ扉の動きを力学的に提供する駆動アームの回動角度の関数とすることができる。この作用において開扉動作を非直線的に提供することが可能である。すなわち、閉扉位置に続く駆動アームの第１開扉角度領域における制御アームの実効レバーアーム長を、その閉扉角度領域に続く駆動アームの完全開扉状態までの第２開扉角度領域における実効レバーアーム長よりも小さくする。
【０００９】
このように、完全閉扉位置から始まる第１移動（回動）領域において、フラップ扉を閉扉状態である自身と平行（すなわち実質的に家具面に平行）な状態で上方に移動させ（ずらし）、その後にフラップ扉を家具に対して回動させてフラップ扉を開くことが可能である。この場合、完全開扉位置となる直前のフラップ扉は、制御アームの長さの対応する大きな変動によって比較的に大きな回動を行う。
【００１０】
上記構造によってフラップ扉は上昇時に家具面からの距離を小さく留めることができ、加えて開扉状態にあるフラップ扉をユーザが容易に操作できるよう、完全開扉位置直前の領域においてフラップ扉を最大可能扉高にまで到達させないことも可能である。
【００１１】
上記構造のさらなる利点は、モータ駆動式のフラップ扉である場合に、閉扉動作時に降下するフラップ扉の下縁がユーザ頭部に当たる危険性が軽減されることである。制御アームの一端は家具枠体に提供される支軸に回動式に連結され、他端はフラップ扉に回動式に連結される。本発明は、好適には駆動アームの回動時に、制御アームの家具側支軸とフラップ扉側支軸との間のスペース（距離）を短くする。
【００１２】
構造的には制御アームは相対可動である少なくとも２つの部材を含む。この相対移動性を提供するため、これら少なくとも２つの部材を相対移動式に組み合わせることができる全ての手段が利用可能である。このような構造によりフラップ扉の回動時に制御アームの家具側支軸とフラップ側支軸との間の距離が減少する。
【００１３】
本発明の一実施形態においてはそれら少なくとも２つの部材はヒンジ軸（回動軸）によって連結されている。これら少なくとも２つの部材のヒンジ軸と、駆動アームのヒンジ軸との間で機能する介在レバーが追加的に利用される。この追加介在レバーは、駆動アームの開扉動作時に、ヒンジ式に連結されている２つのレバー部材を折り曲げる制御を提供する機能を受け持つ。この際、レバー部材は、駆動アームの完全閉扉状態から始まる当初（第１）動作領域においては少々折れ曲がっているだけであるが、完全閉扉状態に至る駆動アームの第２回動領域において、レバー部材は相対的に大きく折り曲げられ、フラップ扉の所望開扉動作を進行させる。
【００１４】
本発明のさらに別な実施態様においては、それら少なくとも２つの部材の相対位置はドライブ（駆動装置）、好適には電気ドライブによって変動できる。さらに別な実施態様によれば、この電気ドライブはそれら少なくとも２つの部材の相対位置の調整をトランスミッション（伝達機構）で行う。この場合、制御アームの家具側支軸とフラップ扉側支軸との間の距離を変動させる電気ドライブは、完全閉扉位置から始まる駆動アームの第１回動角度領域では全く作動しないか、多少作動するだけである。一方、完全開扉位置直前の駆動アームの開扉角度領域では、制御アームの長さを目立って減少させる。
【００１５】
本発明の実施態様の第１変形によれば、制御アームは駆動機構の本体に設置された家具側支軸を有することも可能である。あるいは制御アームの支軸は駆動機構の本体とは別に家具の取付部に設置することもできる。この場合、制御アームの家具側支軸は家具の最上部領域、好適には家具の前面領域内に設置できる。よって、駆動アームの家具側支軸とフラップ扉側支軸は制御アームの家具側支軸とフラップ扉側支軸でヒンジ作用を提供する四辺形を形成する。このヒンジ四辺形により形成された面積は、家具の最上方および最前方の領域における家具側取付軸の配置によって増加させることができ、フラップ扉の動作に対して有利なレバー比を提供することができる。
【００１６】
本発明のさらなる詳細および利点は図面を利用して以下で詳細に説明する。
【図面の簡単な説明】
【００１７】
【図１】上方回動式フラップ扉の動作を提供する駆動機構を有した壁取り付け家具の斜視図。
【図２】図１で示す駆動機構の側面図。
【図３ａ】フラップ扉の開扉動作を示す図。
【図３ｂ】フラップ扉の開扉動作を示す図。
【図３ｃ】フラップ扉の開扉動作を示す図。
【図３ｄ】フラップ扉の開扉動作を示す図示。
【図４ａ】スピンドルドライブを含んだ制御アームを有した別実施例。
【図４ｂ】スピンドルドライブを含んだ制御アームを有した別実施例。
【図４ｃ】スピンドルドライブを含んだ制御アームを有した別実施例。
【図４ｄ】スピンドルドライブを含んだ制御アームを有した別実施例。
【図５】モータ駆動式スピンドルドライブを備えた制御アームの分解斜視図。
【図６】駆動アームの開扉角の関数としての制御アームの実効レバーアーム長の湾曲動作の図。
【発明を実施するための形態】
【００１８】
図１は、台所の上方設置型キャビネットとして利用される台所壁部２に固定された食器戸棚形態の家具１を図示する斜視図である。家具１は台所壁部２に取り付けられる枠体（本体）３を含む。家具１の側壁（側板）には上方回動するフラップ扉４を動かすために利用される本発明の駆動機構５が取り付けられている。その閉扉位置ではフラップ扉４はほぼ垂直姿勢であり、その垂直姿勢から始動して上方の開扉姿勢にまで移動できる。図面の複雑化を避けるため、フラップ扉４の一部と枠体３の一部だけを図示する。駆動機構５は家具１の対面する両側壁の一方の内側に配置できる。駆動機構５は、ここでは詳細には図示していない駆動手段であるドライブ（バネ装置及び／又は電動モータ）が駆動する駆動アーム６を含む。その結果、駆動アーム６は、そこに関与する作用力でフラップ扉４の移動を補助する。駆動アーム６に加えて、フラップ扉４の移動時に動作特性に影響を及ぼす制御アーム７も提供される。フラップ扉４の開扉動作時に、従来の構造ではフラップ扉４は家具枠体３の前面にて相当に大きな領域を使用して上昇移動するため、ユーザは怪我のリスクを負う。本発明はフラップ扉４の開扉動作中に制御アーム７の実効レバーアーム長を介在レバー８の作用によって短縮する。介在レバー８は作動アーム６と制御アーム７との間で機能し、以下において添付の図を利用して詳述するように制御アーム７の変動を提供する。
【００１９】
図２は図１の配置構造の側面図である。家具枠体３の少なくとも一方の側壁には駆動機構５が取り付けられている。駆動機構５は駆動アーム６を作動させるために詳細には図示していないドライブ（バネ装置及び／又は電動モータ）を含む。駆動アーム６の一端は枠体３上で支軸Ａによって駆動機構本体５ａに配置されており、駆動アーム６の他端は支軸Ｂによりフラップ扉側装具９にヒンジ式に取り付けられている。駆動アーム６に加えて、この実施例ではヒンジ軸Ｆでヒンジ式に連結されている２部材７ａと７ｂとを含んだ制御アーム７も提供されている。２部材７ａと７ｂとを備えた制御アーム７は支軸Ｃにより枠体側壁に取り付けられ、フラップ扉側では支軸Ｄにより装具９に取り付けられている。好適にはクランク状の介在レバー８は駆動アーム６をヒンジ軸Ｅとヒンジ軸Ｆを介して制御アーム７に連結する。フラップ扉４の完全閉扉位置から始動し、制御アーム７の２部材７ａと７ｂは少々折れ曲がっているだけであり、家具前面に対するフラップ扉４の実質的に平行な移動が可能となる。駆動アーム６の与えられた回動角（例えば、垂直に対して７０°）からの場合と同様に、２部材７ａと７ｂのさらに大きな折れ曲がり移動が介在レバー８によって与えられ、フラップ扉４は対応して大きく回動し、家具枠体３の上部を越えて後方にまで回動する。
【００２０】
図３ａから図３ｄはフラップ扉４の開扉動作を時間に沿って示す。図３ａは完全閉扉位置にあるフラップ扉４を示す。フラップ扉４の移動を促す駆動アーム６を備えた駆動機構５は家具枠体３の側壁に固定されている。制御アーム７の部材７ｂはフラップ扉側装具９に支軸Ｄにより回動式に連結されている。符号Ｃは制御アーム７の枠体側支軸を表す。この支軸は駆動機構５の本体５ａに配置することも、家具枠体３とは別に配置することもできる。制御アーム７の支軸Ｃと支軸Ｄとの距離である図３ｂで示すスペース（距離）Ｓはフラップ扉４の開扉動作の途中で減少でき、本発明の重要な特徴である。
【００２１】
図３ｂは少々開扉状態の位置にあるフラップ扉４を示す。フラップ扉４は自身に略平行である第１回動（移動）領域内で移動でき、家具枠体３に対して上昇する。フラップ扉４のこの第１回動領域内で、駆動アーム６に対してヒンジ軸Ｅにより配置されている介在レバー８は、制御アーム７の２部材７ａと７ｂとの小さな折り曲がりを引き起こすだけである。符合Ｓは制御アーム７の支軸Ｃと支軸Ｄとの間のスペース（直角距離）を表す。さらに概略図で示されている電動モータ１２は駆動機構本体５ａに配置された駆動アーム６の支軸Ａ上に対して作動する。
【００２２】
図３ｃは図３ｂに続くフラップ扉４の移動を図示する。制御アーム７の２部材７ａと７ｂは介在レバー８の作用により、制御アーム７の枠体側支軸Ｃとフラップ扉側支軸Ｄとの間のスペースＳ内にて小さな変位が関与するだけである図３ｂの場合と較べてさらに大きく折れ曲がっている。
【００２３】
図３ｄは図３ｃから続くフラップ扉４の開扉位置を示す。クランク式介在レバー８が引き起こす制御アーム７の２部材７ａと７ｂとの比較的に鋭い折れ曲がりが図示されている。図３ｃの場合より大幅に小さくなったスペースＳが、制御アーム７の枠体側支軸Ｃとフラップ側支軸Ｄとの間に提供される。図３ｄで示すフラップ扉４の位置からフラップ扉４は完全開扉位置にまで移動できる。駆動機構５は、フラップ扉４の上縁部１０を家具１の枠体３の戸棚上部３ａに接近するように移動させる。
【００２４】
図４ａから図４ｃは本発明の別実施例の側面図を示す。前述の実施例と同様に、駆動機構５は、支軸Ａで枠体側に、支軸Ｂでフラップ扉側に回動式にアレンジされた駆動アーム６を含む。一方、制御アーム７は、スピンドルナットの形態で、制御アーム７の支軸Ｃを含んだ部材７ａを含む。さらに、制御アーム７は部材７ａ（スピンドルナット）に対して移動するスピンドル７ｂを含む。さらに制御アーム７は、支軸Ｄにてフラップ扉側装具９に回動式に取り付けられた取付部７ｃを含む。取付部７ｃは、部材７ｂ（スピンドル）を回転させ、部材７ａ（スピンドルナット）に対して可変長とする電気ドライブを受領する。この場合、取付部７ｃに配置された電気ドライブは駆動アーム６の角度位置に応じてフラップ扉４の完全閉扉位置から再作動して制御アーム７の長さに小さな変動を発生させ、駆動アーム６の所定の開角度からフラップ扉４の完全開扉位置にまで、制御アーム７の実効レバーアーム長をフラップ扉４の第１回動領域内よりもさらに大きく変動させる。
【００２５】
図４ｂは図４ａの場合と較べて短い制御アーム７を示す。この制御アーム７ａは、モータの移動により部材７ｂ（スピンドル）が家具枠体内部に進入するために短くなった実効レバーアーム長を有している。本体に配置される取付部７ｃと電気ドライブを一体化させることも可能である。同様に、図示のスピンドルドライブの代わりに、直線移動式ラックに制御アーム７のレバーアーム長を調整する回転ピニオンを提供することもできる。番号１３は駆動アーム６の角度位置を検出する装置を概略的に示している。この装置により部材７ａと７ｂを相対移動させる電気ドライブが選択的に駆動可能となる。
【００２６】
図４ｃは図４ｂの円領域の拡大図である。枠体側スピンドルナット７ａと、家具枠体３の内部に進入するスピンドル７ｂとが図示されている。
【００２７】
図５は制御アーム７を利用するためのスピンドルドライブの実施例を示す分解図である。ドライブシャフト１４ａを備えた電気ドライブ１４は取付部７ｃに連結され、スピンドル形態である部材７ｂに直接作用するか、あるいは伝達機構を介して作用する。制御アーム７の実効レバーアーム長は可変であり、好適には電気ドライブ４で提供されるスピンドルの回転運動によって短縮される。
【００２８】
図６は駆動アーム６の開角度αの関数としての制御アーム７の実効レバーアーム長の変動を例示する。駆動アーム角αは横座標に示されており、実効レバーアーム長Ｌは縦座標（％）に示されている。完全閉扉位置から始動する駆動アーム６の第１開扉角度領域Ｍ１においては、制御アーム７はその実効レバーアーム長Ｌを実質的に維持し、フラップ扉の平行移動を可能としている。駆動アームの開角度αの約半分の角度（例えば略６０°）から、第１回動領域Ｍ１に続く第２回動領域Ｍ２は、フラップ扉４を家具枠体３を越えて大きく傾斜させる制御アーム７の長さの大きな減少に関与する。制御アーム７の実効レバーアーム長Ｌは、駆動アーム６の完全開扉位置における本来の実効レバーアーム長の約５０％である。専門家であれば、同様な折り曲がり状態を実現する多数の代用形態の着想が可能であろう。
【００２９】
本発明は以上の実施例には限定されず、「請求の範囲」に記載された範囲の変形および均等形態も含む。図面に関して使用されている上下左右等の方向は発明の説明のためであり、本発明の要素は位置変更に即して適宜変更が可能であり、本発明を限定しない。フラップ扉４の動作時に短縮される制御アーム７、およびその短縮によってフラップ扉の開扉動作時にフラップ扉４を家具枠体３の上部を越えて回動させる特徴の理解を促進するため、制御アーム７はどの図面においても示されている。フラップ扉４の開扉により制御アーム７の実効レバーアーム長Ｌを増加させることで、フラップ扉４の開扉動作時にフラップ扉４が家具枠体３の前方に位置するユーザの上方で回動することも理解されるであろう。
【図１】
2011508856.tif 000003
【図２】
2011508856.tif 000004
【図３ａ】
2011508856.tif 000005
【図３ｂ】
2011508856.tif 000006
【図３ｃ】
2011508856.tif 000007
【図３ｄ】
2011508856.tif 000008
【図４ａ】
2011508856.tif 000009
【図４ｂ】
2011508856.tif 000010
【図４ｃ】
2011508856.tif 000011
【図５】
2011508856.tif 000012
【図６】
2011508856.tif 000013
【国際調査報告】
2011508856.tif 000014
2011508856.tif 000015
2011508856.tif 000016
2011508856.tif 000017